(57)【特許請求の範囲】
【請求項１】
ケーブル接続部の周囲を被包する筒状ケースが、軸方向に沿設されたヒンジ部と、該ヒンジ部に対向配備された分割端縁部とを備えて拡開自在に構成され、該筒状ケースの両端面に側壁部を一体に形成し、該側壁部の中央部にケーブルを嵌挿する端面シール部材を着脱自在に嵌合配備すると共に、前記筒状ケースの両端縁部を底板に嵌合配備して前記端面シール部材を筒状ケースに嵌着保持したケーブル接続用ケースにおいて、前記端面シール部材が、硬度３０度の高い硬度の弾性端面板を外側とし、硬度０度の低い硬度の弾性端面板を内側とする一対の弾性端面板を重合したものからなり、該弾性端面板にケーブル嵌挿孔を備え、このケーブル嵌挿孔の周囲に端面板肉厚部位の一部を残して複数の異径スリットを設けたことを特徴とするケーブル接続用ケースにおける端面シール部材。
【請求項２】
前記端面シール部材が、硬度の高い外側の弾性端面板と、硬度の低い内側の弾性端面板とをヒンジ部で折曲重合自在に連設し、互に重合対向する弾性端面板の接合面に外周縁に沿って周囲を囲う係止用凹凸を備えると共に、下端部にケーブル接続用ケースの底板に嵌合する段付部を形成した請求項１記載の端面シール部材。
【請求項３】
前記端面シール部材が、ケーブル嵌挿孔と、架空配線若しくは基線ケーブル嵌挿孔と、支持線嵌挿孔とを形成した弾性端面板或いはケーブル嵌挿孔と支持線嵌挿孔とを形成した弾性端面板であって、該弾性端面板の周側面から前記各ケーブル嵌挿孔に連通するケーブル挿入用のスリットを備えた請求項１または２記載の端面シール部材。
【請求項４】
前記端面シール部材が、弾性端面板に形成したケーブル嵌挿孔の内周面に凹凸条のガスケット部をリング状に備えると共に、該ケーブル嵌挿孔の外側端面に切開可能の薄肉キャップ部を備えた請求項１，２または３記載の端面シール部材。
【請求項５】
ケーブル接続部の周囲を被包する筒状ケースが、軸方向に沿設されたヒンジ部と、該ヒンジ部に対向配備された分割端縁部とを備えて拡開自在に構成され、該筒状ケースの両端面に側壁部を一体に形成し、該側壁部の中央部にケーブルを嵌挿する端面シール部材を着脱自在に嵌合配備すると共に、前記筒状ケースの両端縁部を底板に嵌合配備して前記端面シール部材を筒状ケースに嵌着保持したケーブル接続用ケースにおいて、前記端面シール部材が、外側と内側との一対の弾性端面板を重合したものからなり、該弾性端面板が硬度３０度の硬度の高い弾性材の枠状体と、該枠状体の内部に充填配備された硬度０度の硬度の低い形状回復可能の熱可塑性エラストマのゲル部材とから一体形成されたものからなり、該ゲル部材に支持線並びにケーブルの嵌挿孔と、嵌挿孔の内周面に突出したリング状のリブと嵌挿孔間を連通するケーブル差込みスリットとを形成したことを特徴とするケーブル接続用ケースにおける端面シール部材。
【請求項６】
前記枠状体が、下端部にケーブル接続用ケースの底板に嵌合する段付部を形成したもので、下端外側面からゲル部材を介してケーブル嵌挿孔に連通するケーブル挿入用の分離スリットを両端面板重合時に喰い違い位置に設けた請求項５記載の端面シール材。
【発明の詳細な説明】
【０００１】
【発明の属する技術分野】
本発明は、光ケーブルやメタルケーブルの通信ケーブルの接続分岐配線するための接続部を保護収容するケーブル接続用ケースにおける端面シール部材に関するものである。
【０００２】
【従来の技術】
一般に、ケーブル接続装置は、ケーブルの接続部を被包して保護する収容凾体が用いられるが、この収容凾体は縦割りの筒状ケースと、該ケースの両端面を閉塞しケーブルを挿通する端面部とからなり、ケースの分割面を突き合わせて取付ネジまたはバンドなどの固定手段で連結して密着一体化し、コネクタを含むケーブル接続部を気密状態に維持する構造のものが知られている。
【０００３】
そして、支持線若しくは架空配線や基線のケーブルの出入孔に使用される端面部に於ては、従来はあらかじめ準備された嵌挿孔（適用ケーブルの最大径）に細径ケーブルを取り付ける場合、端面部嵌挿孔とケーブル間の隙間をスペーサ、又は一定厚さのゴムテープを巻回すると共に、気密性、水密性を確保するためにシーリングテープを合せて使用しているタイプがあり、その他にテーパ状の筒を持つ端面部を用い、ケーブル径に対応し現地にてテーパ部の所定位置を切断して使用されるタイプがある。このタイプもケーブルとの接合部はシール性を考慮してシーリングテープやＰＶＣテープによって固定する方法がとられていた。
【０００４】
【発明が解決しようとする課題】
ところが、各種ケーブルの出入孔を水密性確保にシールするための従来方法であると、部品的にケーブル対応でスペーサを要したり、ゴムテープ、シーリングテープを巻回するなどで作業が煩雑であり、ケーブルの増設、保守時には特にシーリングテープの除去交換等がやっかいであり、しかもテーパ状端面部やスペーサ、ゴムテープ等の交換が必要となって作業時間や補修費のロスが生じ問題であった。
本発明は、これら従来の欠点を排除しようとするもので、異径の各種ケーブルを異径スリットの切除により収容凾体の出し入れにシーリングテープなしで安全に適用でき、組立、解体作業時間も大幅に短縮化し、しかもケーブルの増設、保守時にも部品等の交換もなく低コストで対応できるケーブル接続用ケースにおける端面シール部材を構成簡単で安価な形態で提供することを目的とするものである。
【０００５】
【課題を解決するための手段】
本発明は、ケーブル接続部の周囲を被包する筒状ケースが、軸方向に沿設されたヒンジ部と、該ヒンジ部に対向配備された分割端縁部とを備えて拡開自在に構成され、該筒状ケースの両端面に側壁部を一体に形成し、該側壁部の中央部にケーブルを嵌挿する端面シール部材を着脱自在に嵌合配備すると共に、前記筒状ケースの両端縁部を底板に嵌合配備して前記端面シール部材を筒状ケースに嵌着保持したケーブル接続用ケースにおいて、前記端面シール部材が、硬度３０度の高い硬度の弾性端面板を外側とし、硬度０度の低い硬度の弾性端面板を内側とする一対の弾性端面板を重合したものからなり、該弾性端面板にケーブル嵌挿孔を備え、このケーブル嵌挿孔の周囲に端面板肉厚部位の一部を残して複数の異径スリットを設けたものである。
【０００６】
【発明の実施の形態】
ケーブル接続用ケースを底板より取り外して底板上のケーブル把持金具にケーブルを接続してから、ケーブル外皮を円周方向に研磨して、スペーサを嵌装したのちテンションメンバ把持金具を添わせて取付ボルトで均等に締め付ける。
次いで、端面シール部材にある異径スリットの一つをケーブル径対応で選んで切開してから、端面シール部材の内外両弾性端面板を重合一体化してケーブルをケーブル挿入用のスリットからケーブル嵌挿孔に装入して、該端面シール部材をケーブル上に配備し、前記ケースをヒンジ部を中心として両端部を拡開させながら端面シール部材へケース側壁部の凹溝を嵌入して連結し、さらに底板にケースの両端縁部を嵌着すると共に、端面シール部材をも密着固定化し、取付け姿勢を安定強固にし、かつ、ケースに備えられたロック機構を締結して密封性も大幅に高めて、安全に用いられるものである。
【０００７】
前記ケーブル嵌挿孔にケーブルを装入する際に、ケーブル径が大きい場合には、ケーブル嵌挿孔の周囲にある同等寸法径のスリットの残存肉部位を現場にて切除して開口対応させ、ケーブル装入組立後に水密性を確保できる。特に端面シール部材の弾性端面板の外側は硬度の高い弾性端面板に、また内側には硬度の低い弾性端面板を用いてあるので、この硬度の差により支持線とケーブルとの間に接続部があっても、一方の半分が硬度が低いためにケーブル接続部の厚み分だけ押し拡げることとなって、他方の半分は硬度が高くケーブル接続部に適応する形状となってシーリングテープなしでもケーブルの水密性確保を容易にし、また複数の異径スリットの選定使用で各異径のケーブルの出入対応も簡単にでき、シーリングテープは不要であるため大幅な組立、解体作業時間が短縮化が図れ、増設、保守時に於ても部品等の交換不要でコストの大幅な低減も図れることになる。
【０００８】
【実施例】
本発明を図１乃至図７の例で説明すると、光ケーブル接続部１の周囲を被包する筒状のケース２は、軸方向に沿設されたヒンジ部３と、該ヒンジ部３に対向配備された分割端縁部４，４とを備えて、拡開自在に構成され、該ケース２の両端面に側壁部５を一体に形成し、該側壁部５の中央部にケーブルを嵌挿する端面シール部材６を着脱自在に嵌合配備すると共に、前記ケース２の両端縁部４，４を底板７に嵌合配備して、即ち、両端縁部４の凹溝に底板７を嵌合し、かつ両端縁部４の鉤状凸部を底板７の係止用突部に掛止して密着一体化でき、前記端面シール部材６をケース２に嵌着保持したケーブル接続用ケースとし、前記端面シール部材６が、硬度の高い弾性端面板を外側とし、硬度の低い弾性端面板を内側とする一対の弾性端面板６１  ，６１  をヒンジ部６２  で折曲重合自在に連設したものからなり、該弾性端面板６１  ，６１  にケーブル嵌挿孔１２，１３と支持線嵌挿孔１４とを備え、このケーブル嵌挿孔１２，１３の周囲に端面板肉厚部位の一部をそれぞれ残して複数の異径スリット６３  ，６４  ，６５  を偏心円状または同心円状に設けてある。
前記筒状ケース２は、円筒体または角筒体であって、その側壁部５としては上下方向に嵌合溝８を形成した分割間隙部９を備え、弾性端面板６１  と前記底板７の両端に突設した側板１１とを嵌装するようになっていて、前記端面シール部材６の外周縁を高密度に当接一体化できるようにしてある。
【０００９】
また、前記端面シール部材６は、互に重合対向する弾性端面板６１  ，６１  で外側の弾性端面板を硬度３０度の高い硬度のものとし、内側の弾性端面板を硬度０の低い硬度のものとして両者の接合面に外周縁に沿って周囲を囲む係止用凹凸１０，１０１  を備えると共に、下端部にケーブル接続用ケースの底板７に嵌合する段付部１０２  を形成し、光ケーブル嵌挿孔１２と、架空配線若しくは基線ケーブル嵌挿孔１３と、支持線嵌挿孔１４とを形成した弾性端面板６１  であって、該弾性端面板６１  の周側面から前記各嵌挿孔１２，１３に連通するケーブル差込みスリット１５を接離自在にそれぞれ備え、ケーブル等配線の挿入を簡易に行ない、挿入後はスリットが密接してシール性を適確に保つようにしてある。
【００１０】
さらに、前記端面シール部材６が、ケーブルなどの嵌挿孔１２，１３，１４の内周面に凹凸条のガスケット部１６をリング状に備えると共に、光ケーブル嵌挿孔１２は貫通孔としてあるが、切開可能の薄肉キャップ部１７を必要に応じ外側端面に備え、該薄肉キャップ部１７を切除して貫通孔としてから用いられるようにしてもよい。
【００１１】
前記ケーブル接続用ケースの底板７としては、前記端面シール部材６の下端を嵌合する凹溝を形成した側板１１を両端に立設したものであって、脚片２６を有し、該側板１１を前記ケース２の側板５の嵌合溝８に嵌入し、かつケースの分割端縁部４，４に底板両側端を嵌着するものを用いるのがよい。
【００１２】
なお、前記端面シール部材６の嵌挿孔１２に幹線光ケーブルが貫通されてケーブル把持金具２１で固定されていて、該ケーブルのテンションメンバは支持クランプのテンションメンバ把持金具２０に接続連結されている。前記ケース２は円筒状のハウジングで、軸方向に沿って片側が分離接合面で二つに分割できるようにしたもので、合成樹脂、例えばＰＰ樹脂或いは難燃性のＦＲＰＰなどから構成され、軸方向に縦割りに二分割する突き合わせ接合面と、該ケース２の両端に、前記ケーブル接続部の両側のケーブルを貫通する端面シール部材６とを備え、該端面シール部材６を側壁部５に締め付けロックバー２２で連結できるようにしてあり、この対面する接合面を含み、前記ケース２の分割接合面にガスケットを嵌合挟持しうる凹溝の嵌合溝８を備えると共に、底板７の内面に、ケーブル外周に沿う押え挟持片からなるケーブル把持金具２１のテンションメンバ把持金具２０および屋外線把持金具２３とを設けた連結金具１９を固定装備し、さらに必要に応じ前記ケース２の外周にネジからなる締結具のあるバンド（図示せず）を着脱自在に巻回配備してもよいが、ケース両端縁と底板とを突起または凹溝を対応する部材で嵌装する方法でワンタッチで締結するか、ケース外周にネジからなる締結具で一体化して、分離面での密封性を高められて連結できるようにしてある。
【００１３】
なお、前記ケーブル嵌挿孔１２、架空配線ケーブル嵌挿孔１３などで形成される貫通孔には、その周囲に異径スリット６３  ，６４  ，６５  があるので、スペーサ或いはエアタイトテープを巻き付けることなくケーブル径対応で選んだスリットを切取りケーブルの外周面を密着できる。
前記支持線嵌挿孔１４と架空配線ケーブル嵌挿孔１３とはスリット１５１  で連通して
いて、支持線とケーブルの接続部が被覆体で連続しているケーブルタイプと、連結片で間隔をおいて接続しているケーブルタイプとのいずれのケーブルについても使用できるようにしてある。即ち、一対の弾性端面板６１  ，６１  はヒンジ部６２  より折曲げて重合して用いられ、厚さの半分となる一方の弾性端面板６１  には支持線嵌挿孔１４と基線ケーブル嵌挿孔１３との間に隙間のないスリットが入っていて、他の半分の弾性端面板６１  は若干隙間をあけたスリットが設けてあるが、両方とも隙間のないスリットを設けることもできる。この場合、支持線とケーブルとの接続部が被覆体で連続しているケーブルタイプは必要に応じ分離して組み立てて用いる。さらに、前者内側の弾性端面板６１  は全体若しくは一部の硬度が著しく低い（硬度０度）ゴムで、後者外側の弾性端面板６１  は、外圧等に耐え得る硬度の高い（硬度３０度）のゴムとなっていて、前記構造と硬度の差とにより、前者のケーブルの場合、支持線とケーブルとの間に接続部があっても一方の半分が硬度が低いためにケーブル接続部の厚み分だけ押し拡げることとなって、他方の半分は硬度が高くケーブル接続部に適応する形状としてあることにより組立後の水密性が確保される。また後者の支持線付きケーブルの場合、硬度の高い方の弾性端面板６１  が外側となるように組立てることで内側の硬度の低い弾性端面板６１  の方で水密性を容易に確保することとなる。
【００１４】
この場合、前記端面シール部材６の一方の弾性端面板６１  を硬度の低い硬度０のゴムで、また他方の弾性端面板６１  を硬度の高い硬度３０度のゴムで作成するか、一方の弾性端面板６１  の外側を硬度３０で、かつ内側特に嵌挿孔の周囲を硬度０のゴムを積層させるか或いは、一方の弾性端面板６１  の支持線嵌挿孔１４と基線ケーブル嵌挿孔１３との間周辺を硬度０度のゴムを部分的に要求特性上、最小限に用いて一体成形するのがよく、またゴムに代えて合成樹脂で単独または併用して弾性端面板６１  を作成することができるが、前記弾性端面板６１  を作成することができるが、前記弾性端面板６１  を適度な硬度、例えばショア硬度５〜２０度とすることで、両者に近似した硬度で弾性端面板６１  をつくることもできる。
ケーブル径や支持線径は種々あるので、各ケーブルに対応する数本のスリットを弾性端面板６１  の厚さ方向の途中まで入れてあり、現場にて切り落すことで、選ばれた嵌合孔径にしてケーブル径に対応して合わせられるようになっている。
【００１５】
なお、前記端面シール部材６は、一対の弾性端面板６１  ，６１  をヒンジ部６２  で連設してあるが、分離した弾性端面板６１  ，６１  を一対重合し一体化して用いられるようにすることもできる。
【００１６】
図８乃至図１２の実施例では、一対の端面板６１  ，６１  をヒンジ部６２  で折曲げ重ねた端面シール部材６に基線ケーブル嵌挿孔１３及び支持線嵌挿孔１４を備えて、異径スリット６３  を複数形成し、かつ周側面からケーブル嵌挿孔１３に連通するスリット１５を設けると共に、下端部に底板７に嵌合する段付部１０２  を形成したもので、該底板７に突設した側板１１に端面シール部材６が嵌着されて密封性を高めた形態としたものである。
この実施例では、前例と同様な構成となっていて、カマボコ形ケースを高密度収容ケースとし内部構造は、屋外線把持金具２３を備え、さらにファイバ芯線を入れる収納シートを収容する余長収納ケースを多数装入できる棚収容方式のコード収納部及びコネクタホルダーを備えた構成からなっている。
そして前記ケース２の底面に底板７を着脱自在に嵌着するもので、ケース２の内周面に補強用リブ２１  を間隔をあけて複数突設すると共に、底板７はケース２の端縁に形成したガイド溝に嵌合し、ケース２と底板７とに突設した一直線状に接続される継合レール７１  にスナップ７０を係脱自在に設けて一体締結できるようにし、分離面での密封性が高められロックできるように考慮されている。
なお、前記底板７上にはケーブル把持金具２１が取付片２１１  で固着され連結杆２１２  で他端例のケーブル把持金具と接続されている。
【００１７】
図１３乃至図１６の例では、前記端面シール部材６として弾性端面板が外周を硬度（３０度）のゴム材または樹脂材などの弾性材からなる枠状体６１で形成され、該枠状体６１の内部、特に嵌挿孔の周囲、即ち支持線並びにケーブルの嵌挿孔の周囲に硬度０度の軟質材からなるゲル部材６２、例えば形状記憶樹脂、その他形状回復可能の機能材料を充填配備したもので、該ゲル部材６２に支持線嵌挿孔６４と、基線ケーブル嵌挿孔６３とをケーブル挿入用のスリット６５で連通して形成してあって、該端面シール部材６をケース７２の側壁部７１に組み込み底板７３で締め付けてゲル部材６２を圧縮させて支持線及びケーブルの周囲に膨出させて隙間なく密着させて水密性を確保してある。
【００１８】
この場合、前記枠状体６１は、ヒンジ部６２  で連設する（図１３〜１４）か、下方部
で拡開する（図１５）かした構成のものを用い、下端部に底板７３に嵌合する段付部６６を形成したもので、下端外側面からゲル部材６２を介してケーブル嵌挿孔６３に連通する分離スリット６９を設け、該分離スリット６９を拡開してその隙間からケーブルなどを挿入して簡便にセットできるようにしてあるが、この枠状体６１及びゲル部材６２に形成したケーブル差込み用の分離スリット６９が、両端面板の対称位置に設けられ両端面板重合時に喰い違い位置にあるようにし、外圧がかかっても内部へのスリットからの外気或いは水分の侵入を阻止できる形態としてある。また、前記ゲル部材６２としては、例えば、熱可塑性エラストマ（ポリスチレン−ポリエチレン／ブチレン−ポリスチレン）に可塑性油を含侵させてゲル化したもの、即ち、伸び率約３５０〜１６００％、ジェル硬度２００〜７００ｇ、引張強度約８×１０５  で、１００〜３５０（１０−１ｍｍ）のコーン貫入値、少なくとも約２００％の極限伸びを有するゼラチンエラストマを用いるのがよい。
【００１９】
なお、前記ケーブル嵌挿孔６３は、一つに限らず図１の例のように複数設けた例でも同様の構成として異径ケーブルに対応できる形態とすることもできるし、支持線嵌挿孔６４とともにその内周面にリング状のリブ６７，６８を突設して、配線周囲に隙間ができないように考慮してある。そして端面シール部材６としてはケーブル接続用筒状ケース７２の側壁部７１に形成した嵌合部７３に嵌装して締め付けロックバー７４で連結して用いられる。
【００２０】
【発明の効果】
本発明は、ケーブル接続部の周囲を被包する筒状ケースが、軸方向に沿設されたヒンジ部と、該ヒンジ部に対向配備された分割端縁部とを備えて拡開自在に構成され、該筒状ケースの両端面に側壁部を一体に形成し、該側壁部の中央部にケーブルを嵌挿する端面シール部材を着脱自在に嵌合配備すると共に、前記筒状ケースの両端縁部を底板に嵌合配備して前記端面シール部材を筒状ケースに嵌着保持したケーブル接続用ケースにおいて、前記端面シール部材が、硬度３０度の高い硬度の弾性端面板を外側とし、硬度０度の低い硬度の弾性端面板を内側とする一対の弾性端面板を重合したものからなり、該端面板にケーブル嵌挿孔を備え、このケーブル嵌挿孔の周囲に端面板肉厚部位の一部を残して複数の異径スリットを設けたことにより、ケーブルまわりのシール材が着脱自在であるためケーブル増設、張り替え等の工事の際に容易に作業ができ、しかも重合された内外弾性端面板の硬度の差により支持線とケーブルとの間に接続部があっても、一方の半分が硬度が低いためにケーブル接続部の厚み分だけ押し拡げることとなって、他方の半分は硬度が高くケーブル接続部に適応する形状となって、組立後の水密性が確実に確保できるし、また弾性端面板の内外に硬度の軟・硬があって挿通されるケーブルのケーブル径差異のバラツキがあっても隙間が生じないで馴染みがよく、ケーブル接続時の被覆作業も迅速に行えるし、さらに支持線付きケーブルでも繋ぎ部分を切り離して仕上げることになるが、切り離し作業にバラツキがあっても密着性がよく対応でき硬度の高い方の弾性端面板が外側となるように組み立てると内側の硬度の低い弾性端面板の方でバランス良く水密性を確保することが容易にできて、端面シール部材の品質保証にも寄与できるほか、端面板からのケーブルの導出に水密性を確実にし、異径の各種ケーブルを異径スリットの選定切除により対応させケーブルの収容凾体の出入にシーリングテープなしで安全に適用でき、組立、解体作業時間も大幅に短縮化し、しかもケーブルの増設、保守時にも部品等の交換もなく低コストで対応できると共に、端面シール部材のケースでの姿勢も安定して取扱い良好で、組立作業の容易性に役立ち、しかもケーブル接続部の収容体の変形防止を図り、安全性と気密性をも高めて信頼性を大幅に向上できる。
また、本発明は前記弾性端面板が硬度３０度の硬度の高い弾性材の枠状体と、該枠状体の内部に充填配備された硬度０度の硬度の低い形状回復可能の熱可塑性エラストマのゲル部材とから一体形成されたものからなり、該ゲル部材に支持線並びにケーブルの嵌挿孔と、嵌挿孔の内周面に突出したリング状のリブと嵌挿孔間を連通するケーブル差込みスリットとを形成したことにより、前述と同様な良好な安全性と作業性とを発揮できるほかに、ゲル材を圧縮させて支持線およびケーブルの周囲に膨出させて隙間なく密着させて水密性を確保できてケーブル接続時の被覆作業が著しく迅速に行え、ケーブルの優れたたシール性を維持できる効果がある。
【図面の簡単な説明】
【図１】本発明の実施例の展開状態を示すもので、（ａ）は正面図、（ｂ）は平面図、（ｃ）は側面図である。
【図２】図１の組立状態の縦断面図である。
【図３】図１の例の組立前の分離状態を示す正面図である。
【図４】図１の使用状態を示す一部切断側面図である。
【図５】図４のＡ−Ａ線における平面図である。
【図６】図４のＢ−Ｂ線における内面図である。
【図７】図４の例のケースを示し、（ａ）は外側からの正面図、（ｂ）は図４のＣ−Ｃ線における縦断面図、（ｃ）は図４のＤ−Ｄ線における縦断面図を示す。
【図８】本発明の他の実施例の端面シール部材を示し、（ａ）は展開正面図、（ｂ）は展開平面図、（ｃ）はＥ−Ｅ線における縦断面図、（ｄ）はＦ−Ｆ線における拡大縦断面図である。
【図９】図８の例の使用状態の一部切断側面図である。
【図１０】図９のＧ−Ｇ線における切断平面図である。
【図１１】図９のＨ−Ｈ線における切断内面図である。
【図１２】図９の例のケースを示し、（ａ）は正面図、（ｂ）は図９のＩ−Ｉ線における切断背面図、（ｃ）は図９のＪ−Ｊ線における切断正面図である。
【図１３】本発明のさらに他の実施例の端面シール部材で（ａ）は正面図、（ｂ）は縦断面図、（ｃ）は底面図である。
【図１４】図１３の例の端面シール部材の内面側を示す展開正面図である。
【図１５】図１３の例の端面シール部材拡開状態の正面図である。
【図１６】図１３の端面シール部材の一使用状態を示す正面図である。
【符号の説明】
１      ケーブル接続部
２      ケース
３      ヒンジ部
４      分割端縁部
５      側壁部
６      端面シール部材
６１      弾性端面板
６２      ヒンジ部
６３  ，６４  ，６５    異径スリット
７      底板
８      嵌合溝
９      分割間隔部
１０    係止用凸部
１０１    係止用凹部
１１    側板
１２，１３，１４  嵌挿孔
１５    スリット
１６    ガスケット部
１７    薄肉キャップ
２１    ケーブル把持金具
６１    枠状体
６２    ゲル部材
６３    ケーブル嵌挿孔
６４    支持線嵌挿孔
６５    スリット
６６    段付部
６９    分離スリット
７１    側壁部
７２    ケース
【図１】
0003609885.tif 000002
【図２】
0003609885.tif 000003
【図３】
0003609885.tif 000004
【図４】
0003609885.tif 000005
【図５】
0003609885.tif 000006
【図６】
0003609885.tif 000007
【図７】
0003609885.tif 000008
【図８】
0003609885.tif 000009
【図９】
0003609885.tif 000010
【図１０】
0003609885.tif 000011
【図１１】
0003609885.tif 000012
【図１２】
0003609885.tif 000013
【図１３】
0003609885.tif 000014
【図１４】
0003609885.tif 000015
【図１５】
0003609885.tif 000016
【図１６】
0003609885.tif 000017